(57)【要約】【課題】装置に備わる管理パッケージの機能を十分に活用する。【解決手段】伝送装置は、複数の第１の機能部と、前記第１の機能部を制御する冗長構成の第２の機能部と、を備えた伝送装置であって、前記第１の機能部の数は、前記第２の機能部の数以上であり、第１の所定の信号が入力されると、前記第２の機能部各々が独立に、入力される所定の情報を基に所定の前記第１の機能部を制御する。【選択図】      図１２
2015065570.tif 000002
【特許請求の範囲】
【請求項１】
複数の第１の機能部と、前記第１の機能部を制御する冗長構成の第２の機能部と、を備えた伝送装置であって、
前記第１の機能部の数は、前記第２の機能部の数以上であり、
第１の所定の信号が入力されると、前記第２の機能部各々が独立に、入力される所定の情報を基に所定の前記第１の機能部を制御する、
ことを特徴とする伝送装置。
【請求項２】
前記第２の機能部は、所定のタイミングになると、前記第１の機能部を介して接続されている他の前記第２の機能部と通信を行い、他の前記第２の機能部が保持する識別子を取得して出力する、
ことを特徴とする請求項１に記載の伝送装置。
【請求項３】
前記第２の機能部は、所定のコマンドが入力されると、前記識別子を出力する、
ことを特徴とする請求項２に記載の伝送装置。
【請求項４】
一方の前記第２の機能部は、信号パワーが所定値以下である光信号が入力されると、エラーを示す識別子を含めて前記光信号を出力すると共に、第２の所定の信号を出力し、
他方の前記第２の機能部は、前記第２の所定の信号が入力されると、入力された前記光信号をそのまま出力する、
ことを特徴とする請求項１乃至３のいずれか１項に記載の伝送装置。
【請求項５】
前記エラーを示す識別子を含まない前記光信号を他装置に伝送する装置が接続されている、
ことを特徴とする請求項４に記載の伝送装置。
【請求項６】
前記エラーを示す識別子を含まない前記光信号を選択し、出力する選択部を備える、
ことを特徴とする請求項４乃至５のいずれか１項に記載の伝送装置。
【請求項７】
冗長構成の第２の機能部のいずれかが、数が前記第２の機能部の数以上である第１の機能部を制御しているときに、第１の所定の信号が入力されると、前記第２の機能部各々が独立に、入力される所定の情報を基に所定の前記第１の機能部を制御する、
ことを特徴とする伝送装置の制御方法。
【請求項８】
前記第２の機能部は、所定のタイミングになると、前記第１の機能部を介して接続されている他の前記第２の機能部と通信を行い、他の前記第２の機能部が保持する識別子を取得して出力する、
ことを特徴とする請求項７に記載の伝送装置の制御方法。
【請求項９】
前記第２の機能部は、所定のコマンドが入力されると、前記識別子を出力する、
ことを特徴とする請求項８に記載の伝送装置の制御方法。
【請求項１０】
一方の前記第２の機能部は、信号パワーが所定値以下である光信号が入力されると、エラーを示す識別子を含めて前記光信号を出力すると共に、第２の所定の信号を出力し、
他方の前記第２の機能部は、前記第２の所定の信号が入力されると、入力された前記光信号をそのまま出力する、
ことを特徴とする請求項７乃至９のいずれか１項に記載の伝送装置の制御方法。
【発明の詳細な説明】
【技術分野】
【０００１】
本発明は、伝送装置、伝送装置の制御方法に関し、特に、冗長構成の機能部を備える伝送装置、伝送装置の制御方法に関する。
【背景技術】
【０００２】
一般的に、ＩＴＵ−Ｔ  Ｇ．７０７及びＧ．７８３の規定に従って光信号を他装置に伝送する光伝送装置が知られている。ＩＴＵ−Ｔは、Ｉｎｔｅｒｎａｔｉｏｎａｌ  Ｔｅｌｅｃｏｍｍｕｎｉｃａｔｉｏｎ  Ｕｎｉｏｎ  Ｔｅｌｅｃｏｍｍｕｎｉｃａｔｉｏｎ  Ｓｔａｎｄａｒｄｉｚａｔｉｏｎ  Ｓｅｃｔｏｒの略称である。上述の光伝送装置としては、以下の特許文献１が開示されている。図１は、特許文献１の光伝送装置の構成図である。
【０００３】
特許文献１の光伝送装置は、図１に示されるように、複数の被管理パッケージ７、７’と、それらを制御する管理パッケージ４とを備える。特許文献１の光伝送装置は、制御端末１に接続される。制御端末１は、管理パッケージ４の制御部５（以下、単に「管理パッケージ４」という）に対し、所定の設定情報や制御情報（以下、「管理情報」という）を送信する。管理パッケージ４は、受信した管理情報を用いて被管理パッケージ７、７’を制御する。具体的には、管理パッケージ４は、受信した管理情報を各被管理パッケージ７、７’に送信する。被管理パッケージ７、７’は、管理パッケージ４からの管理情報に基づいて装置設定を行って、光信号を他装置に伝送する。
【０００４】
ところで、近年、上述の光伝送装置は、装置の信頼性を向上させる為に、上述の管理パッケージを冗長構成とする。図２は、冗長構成をとる一般的な光伝送装置の構成例を示した図である。図２では、運用系の管理パッケージが管理パッケージ２であり、待機系の管理パッケージが管理パッケージ３である場合を記載している。運用系の管理パッケージ２の制御部（以下、単に「管理パッケージ２」という）は、複数の被管理パッケージ９、９’を制御する。具体的には、管理パッケージ２は、制御端末１から受信した管理情報を各被管理パッケージ９、９’に送信する。被管理パッケージ９、９’は、受信した管理情報に基づいて装置設定を行い、入力された光信号を他の光伝送装置に伝送する。一方、待機系の管理パッケージ３の制御部（以下、単に「管理パッケージ３」という）は、管理パッケージ２が故障したときに備え、管理パッケージ２と運用データを共有し、待機する。運用データは、管理パッケージ２の動作に関する情報である。例えば、運用データは、管理パッケージがどの被管理パッケージに管理情報を送信するかを示す情報を含んでいてもよい。待機系の管理パッケージ３は、運用系の管理パッケージ２に障害が発生したときに、運用系管理パッケージ２と共有する運用データを基に、運用系として動作を開始する。
【先行技術文献】
【特許文献】
【０００５】
【特許文献１】特開２０１１−０５９８９３号公報
【発明の概要】
【発明が解決しようとする課題】
【０００６】
しかし、冗長構成の管理パッケージを備える特許文献１等の光伝送装置（以下、「特許文献１の光伝送装置」という）では、待機系の管理パッケージは、運用系の管理パッケージに故障が発生しない限り、その機能は使用されないままである。その為、特許文献１の光伝送装置は、装置に備わる管理パッケージの機能を十分に活用していないという課題があった。
【０００７】
本発明は、上記課題を解決する伝送装置、伝送装置の制御方法を提供することを目的とする。
【課題を解決するための手段】
【０００８】
上記目的を達成するために、本発明の伝送装置は、複数の第１の機能部と、前記第１の機能部を制御する冗長構成の第２の機能部と、を備えた伝送装置であって、前記第１の機能部の数は、前記第２の機能部の数以上であり、第１の所定の信号が入力されると、前記第２の機能部各々が独立に、入力される所定の情報を基に所定の前記第１の機能部を制御する。
【０００９】
上記目的を達成するために、本発明の伝送装置の制御方法は、冗長構成の第２の前記機能部のいずれかが、数が前記第２の機能部の数以上である第１の機能部を制御しているときに、第１の所定の信号が入力されると、前記第２の機能部各々が独立に、入力される所定の情報を基に所定の前記第１の機能部を制御する。
【発明の効果】
【００１０】
本発明によれば、伝送装置は、装置に備わる管理パッケージの機能を十分に活用することができる。
【図面の簡単な説明】
【００１１】
【図１】特許文献１の伝送装置の構成図である。
【図２】冗長構成をとる一般的な光伝送装置の構成例を示した図である。
【図３】本発明の第１の実施の形態における伝送装置の構成例を示す図である。
【図４】本発明の第１の実施の形態における伝送装置の動作（管理パッケージが冗長構成をとるときの動作）を説明する為の図である。
【図５】本発明の第１の実施の形態における伝送装置の動作（管理パッケージが独立して動作するときの動作）を説明する為の図である。
【図６】本発明の第１の実施の形態における伝送装置に入力されるモード変更コマンドを説明する為の図である。
【図７】本発明の第２の実施の形態における伝送装置の構成例を示す図である。
【図８】本発明の第２の実施の形態における伝送装置の動作を説明する為の図である。
【図９】本発明の第２の実施の形態における伝送装置の構成の変形例を示す図である。
【図１０】本発明の第３の実施の形態における伝送装置の構成例を示す図である。
【図１１】本発明の第３の実施の形態における伝送装置の構成の変形例を示す図である。
【図１２】本発明の第４の実施の形態における伝送装置の構成例を示す図である。
【発明を実施するための形態】
【００１２】
次に本発明の実施形態について、図面を参照して詳細に説明する。
【００１３】
［第１の実施の形態］
本発明の第１の実施の形態における伝送装置は、冗長構成の管理パッケージを備える。本実施形態の伝送装置は、冗長構成の管理パッケージのいずれかが運用系として複数の被管理パッケージを制御しているときに、所定の信号が入力されると、各管理パッケージが独立に、その後、入力される所定の情報を基づいて所定の被管理パッケージを制御する。待機系も含めて各管理パッケージが動作するので、装置に備わる管理パッケージの機能を十分に活用することができる。
【００１４】
以下に、本発明の第１の実施の形態における伝送装置の構成や機能、動作について詳細を説明する。
【００１５】
［構成の説明］
まず、本発明の第１の実施の形態における伝送装置の構成と機能について説明する。
【００１６】
（１）本発明の第１の実施の形態における伝送装置の構成
図３は、本発明の第１の実施の形態における伝送装置の構成例を示す図である。図３に示されるように、本実施形態の伝送装置は、管理パッケージ１２、１３と、被管理パッケージ１４、１５を備える。また、管理パッケージ１２は制御部１２１と運用メモリ１２２を備え、管理パッケージ１３は制御部１３１と運用メモリ１３２を備える。
【００１７】
管理パッケージ１２、１３の制御部１２１、１３１は、図３に示されるように、制御端末１１と被管理パッケージ１４、１５に接続される。また、制御部１２１、１３１は、互いに接続され、運用メモリ１２２、１３２に接続される。
【００１８】
なお、本実施形態の伝送装置は、被管理パッケージを２つ以上備えていてもよい。その場合、各被管理パッケージは、制御部１２１、１３１に接続される。
【００１９】
（２）本発明の第１の実施形態における伝送装置に接続される制御端末１１の機能
制御端末１１は、本実施形態の伝送装置を制御する端末である。具体的には、制御端末１１は、以下の機能を有する。
【００２０】
・制御端末１１は、オペレータにより所定の操作（以下、「モード変更操作」という）が実施されると、モード変更コマンドを出力する。モード変更コマンドは、後述の「（２）各管理パッケージが独立して動作するときの動作」にて詳細を説明するが、管理パッケージ１２、１３が独立して動作するのか、冗長構成としての動作を行うのかを示す情報である。
【００２１】
・また、制御端末１１は、オペレータにより所定の操作が実施されると、所定の管理情報と装置情報を出力する。上述の所定の操作は、モード変更コマンドを出力する所定の操作とは異なる操作である。上述の所定の操作は、以下、「制御操作」というものとする。上述の所定の装置情報は、各管理パッケージが独立して動作するときに、各管理パッケージが制御する被管理パッケージを示す情報である。所定の装置情報と管理情報は、制御端末１１のオペレータによって制御端末１１に設定される。
【００２２】
（３）本発明の第１の実施形態における伝送装置を構成する各部位の機能
管理パッケージ１２、１３の制御部１２１、１３１は、以下の機能を有する。
【００２３】
・管理パッケージ１２、１３の制御部１２１、１３１は、一般的な伝送装置の制御部と同じ機能を有する。すなわち、制御部１２１、１３１は、冗長構成をとり、後述の（Ａ）〜（Ｃ）に示す動作を行って、被管理パッケージ１４、１５を制御する。
【００２４】
・制御部１２１、１３１は、制御端末１１からモード変更コマンドを受信すると、受信したモード変更コマンドに、独立して動作することを示す情報が含まれているかを判別する。制御部１２１、１３１は、独立して動作することを示す情報がモード変更コマンドに含まれている場合、その後、制御端末１１から管理情報や装置情報が入力されると、その管理情報や装置情報を基に被管理パッケージを制御する。具体的には、制御部１２１、１３１は、入力された装置情報が示す被管理パッケージに対し、管理情報を出力する。
【００２５】
被管理パッケージ１４、１５は、一般的な伝送装置の制御部と同様、受信した管理情報に基づいて装置設定を行い、入力された光信号を他装置に伝送する。
【００２６】
［動作の説明］
本実施形態の伝送装置の動作を図４〜６を用いて以下に説明する。なお、説明は、管理パッケージが冗長構成をとるときと、各管理パッケージが独立して動作するときに分けて行う。
【００２７】
（１）管理パッケージが冗長構成をとるときの動作
本実施形態の伝送装置では、起動後、管理パッケージが冗長構成をとり、一般的な伝送装置と同じ動作を行う。具体的には、本実施形態の伝送装置は、以下の（Ａ）〜（Ｃ）の通りに動作し、運用系の管理パッケージが被管理パッケージを制御し、待機系の管理パッケージが運用系管理パッケージの故障に備えて待機する。以下の（Ａ）〜（Ｃ）では、運用系として稼動する管理パッケージが管理パッケージ１２、待機系として稼動する管理パッケージが管理パッケージ１３であったものとして説明する。
【００２８】
（Ａ）まず、運用系として稼動する管理パッケージ１２の制御部１２１は、制御端末１１から管理情報や装置情報が入力されると、一般的な伝送装置と同様、入力された管理情報を、装置情報の示す各被管理パッケージに送信する。ここでは、管理パッケージ１２の制御部１２１が、図４に示されるように、制御端末１１からの管理情報を各被管理パッケージ１４に送信したものとして説明を続ける。被管理パッケージ１４は、管理パッケージ１２からの管理情報に基づいて装置設定や動作制御を行い、入力された光信号を他装置に伝送する。
【００２９】
（Ｂ）さらに、運用系の管理パッケージ１２の制御部１２１は、運用データを待機系の管理パッケージ１３の制御部１３１と共有する。具体的には、運用系の管理パッケージ１２の制御部１２１は、運用データを運用メモリ１２２に保持し、その運用データを待機系の管理パッケージ１３の制御部１３１に送信する。制御部１３１は、運用データを受信すると、運用メモリ１３２に書き込み、保持する。
【００３０】
（Ｃ）待機系の管理パッケージ１３の制御部１３１は、運用系の管理パッケージ１２に故障が発生した場合、運用データを基に、運用系として動作を開始する。その後、待機系の管理パッケージ１３の制御部１３１は、制御端末１１から管理情報や装置情報が入力されると、入力された管理情報を、装置情報が示す被管理パッケージ１４に送信する。被管理パッケージ１４は、待機系の管理パッケージ１３からの管理情報に基づいて装置設定や動作制御を行い、他の光伝送装置への光信号の伝送を継続する。
【００３１】
（２）各管理パッケージが独立して動作するときの動作
本実施形態の伝送装置は、所定の信号が入力されると、各管理パッケージが独立に、制御端末１１から入力される管理情報や装置情報を基に被管理パッケージを制御する動作を行う。その動作の詳細を以下のＳ１〜Ｓ１０に示す。
【００３２】
（Ｓ１）
まず、制御端末１１は、オペレータにより所定の操作、すなわちモード変更操作が行われると、図５に示されるように、管理パッケージ１２、１３の制御部１２１、１３１に対し、モード変更コマンドを電気信号として送信する。
【００３３】
上述のモード変更コマンドは、管理パッケージ１２、１３が独立して動作するのか、冗長構成としての動作を行うのかを示す情報である。モード変更コマンドは、図６に示されるように、冗長構成としての動作を行うことを示す値（例えば、値１）、若しくは、独立して動作することを示す値（例えば、値２）を含む。
【００３４】
（Ｓ２）
次に、運用系の管理パッケージ１２の制御部１２１は、制御端末１１から電気信号を受信すると、電気信号からモード変更コマンドを抽出する。
【００３５】
（Ｓ３）
次に、運用系の管理パッケージ１２の制御部１２１は、電気信号からモード変更コマンドを抽出すると、独立して動作することを示す値がモード変更コマンドに含まれているかを判別する。
【００３６】
（Ｓ４）
次に、運用系の管理パッケージ１２の制御部１２１は、独立して動作することを示す値（例えば値２）がモード変更コマンドに含まれている場合（Ｓ３でＹｅｓの場合）、上述の（Ａ）の処理を継続して行う。すなわち、運用系の管理パッケージ１２の制御部１２１は、制御端末１１から管理情報や装置情報が入力されると、入力された管理情報を、装置情報が示す被管理パッケージに送信する。なお、制御部１２１は、上述の（Ｂ）に記載の処理を行わない。すなわち、運用系の制御部１２１は、待機系の制御部１３１と運用データの共有を行わない。
【００３７】
（Ｓ４でＮｏの場合）
なお、運用系の管理パッケージ１２の制御部１２１は、独立して動作することを示す値（例えば値２）がモード変更コマンドに含まれていない場合（Ｓ３でＮｏの場合）、運用系管理パッケージの制御部としての一般的な動作を継続する。具体的には、運用系の管理パッケージ１２の制御部１２１は、上述の（Ａ）、（Ｂ）に記載した動作を継続して実施する。
【００３８】
（Ｓ５）
一方、待機系の管理パッケージ１３の制御部１３１も、上述のＳ２と同様、制御端末１１から電気信号を受信すると、電気信号からモード変更コマンドを抽出する。
【００３９】
（Ｓ６）
次に、待機系の管理パッケージ１３の制御部１３１は、上述のＳ３と同様、電気信号からモード変更コマンドを抽出すると、独立して動作することを示す値がモード変更コマンドに含まれているかを判別する。
【００４０】
（Ｓ７）
次に、待機系の管理パッケージ１３の制御部１３１は、独立して動作することを示す値（例えば値２）がモード変更コマンドに含まれている場合（Ｓ６でＹｅｓの場合）、自身が保持する運用データを初期化する。
【００４１】
（Ｓ８）
ここで、上述のＳ７の後、制御端末１１は、オペレータにより所定の操作、すなわち制御操作が行われ、管理パッケージ１３の制御部１３１に管理情報と装置情報を電気信号として送信したものとする。
【００４２】
（Ｓ９）
待機系の管理パッケージ１３の制御部１３１は、受信した電気信号から（制御端末１１からの）管理情報や装置情報を抽出すると、上述の（Ａ）の処理を実施し、その管理情報を装置情報が示す被管理パッケージに送信する。すなわち、待機系の管理パッケージ１３が、被管理パッケージを制御する。ここでは、待機系の管理パッケージ１３の制御部１３１は、被管理パッケージ１５に管理情報を送信したものとして説明を続ける。図３では、待機系の管理パッケージが、被管理パッケージを制御している状態を「Ａｃｔｉｖｅ」と記載している。
【００４３】
（Ｓ１０）
次に、管理情報を受信した被管理パッケージ１５は、受信した管理情報に基づいて装置設定や動作制御を行い、入力された光信号を他装置に伝送する。
【００４４】
（Ｓ６でＮｏの場合）
なお、待機系の管理パッケージ１３の制御部１３１は、独立して動作することを示す値（例えば値２）がモード変更コマンドに含まれていない場合（Ｓ６でＮｏの場合）、待機系管理パッケージの制御部としての一般的な動作を継続する。具体的には、待機系の管理パッケージ１３の制御部１３１は、上述の（Ｂ）（Ｃ）に記載した動作を継続して実施する。
【００４５】
以上のように、本実施形態の伝送装置は、所定の情報を含む電気信号が入力されると、待機系の管理パッケージも含め、各管理パッケージが独立に、制御端末から入力される管理情報や装置情報を基に被管理パッケージを制御する。
【００４６】
なお、１つの管理パッケージが少なくとも１つの被管理パッケージを制御する構成を「１装置分の構成」とすると、本実施形態の伝送装置は、２つの管理パッケージが独立に被管理パッケージを制御するので、１装置内に２装置分の構成を具備することができる。この構成により対向試験が実施できるが、詳細については第２の実施の形態にて説明する。以下、本実施形態の伝送装置の効果について説明する。
【００４７】
［効果の説明］
本実施形態によれば、伝送装置は、装置に備わる管理パッケージの機能を十分に活用することができる。
【００４８】
その理由は、本実施形態の伝送装置が、所定の信号が入力されると、待機系の管理パッケージも含め、各管理パッケージが独立に、制御端末から入力される管理情報や装置情報を基に所定の被管理パッケージを制御する動作を行うからである。
【００４９】
［第２の実施の形態］
次に、本発明の第２の実施の形態について説明する。
【００５０】
本実施形態の伝送装置は、装置に具備される２装置分の構成を用いて、１台の伝送装置内で対向試験を実施する装置である。ここでの対向試験とは、動作する２つの管理パッケージ間の通信の正常性を確認する試験である。
【００５１】
なお、一般的な伝送装置では、動作する管理パッケージは運用系の１つだったので、動作する２つの管理パッケージ間の通信が正常であることを確認する為には、対向する装置を用意しなければならかった。本実施形態の伝送装置は、１装置で２つの管理パッケージ間の通信の正常性を確認することができる。
【００５２】
［構成の説明］
（１）本実施形態における伝送装置の構成
図７は、本発明の第２の実施の形態における伝送装置の構成例を示す図である。第２の実施の形態における伝送装置は、図７に示されるように、管理パッケージ１２、１３の代わりに、管理パッケージ２２、２３を備える。管理パッケージ２２、２３は、制御部１２１、１３１の代わりに、制御部２２１、２３１を備える。また、本実施形態における伝送装置は、被管理パッケージ１４、１５の代わりに、被管理パッケージ２４、２５を備える。
【００５３】
制御部２２１は、被管理パッケージ２４と接続され、制御部２３１は、被管理パッケージ２５と接続される。また、被管理パッケージ２４は、被管理パッケージ２５と光ケーブルを介して接続される。さらに、制御部２２１と制御部２３１は、制御端末１１の代わりに、制御端末２１に接続される。
【００５４】
（２）本実施形態の伝送装置に備わる各部位の機能の説明
制御端末２１は、オペレータにより所定の操作が行われると、Ｒｏｕｔｉｎｇ  Ｉｎｆｏｒｍａｔｉｏｎ取得コマンドを管理パッケージ２２の制御部２２１に出力する。Ｒｏｕｔｉｎｇ  Ｉｎｆｏｒｍａｔｉｏｎ取得コマンドは、管理パッケージの制御部が保持するＮＳＡＰ（Ｎｅｔｗｏｒｋ  Ｓｅｒｖｉｃｅ  Ａｃｃｅｓｓ  Ｐｏｉｎｔ）アドレスを読み出す為のコマンドである。上述の所定の操作は、モード変更操作や制御操作とは異なる操作であるので、以下、「通信確認操作」というものとする。制御端末２１は、ＮＳＡＰアドレスが入力されると、そのＮＳＡＰアドレスを自身に備わる画面に表示する。
【００５５】
管理パッケージ２２の制御部２２１は、被管理パッケージを介して接続されている管理パッケージ２３の制御部２３１と通信を行い、管理パッケージ２３のＮＳＡＰアドレスを取得して保持する。管理パッケージ２３の制御部２３１には、管理パッケージ２３のＮＳＡＰアドレスが制御端末２１のオペレータ等によって予め設定される。同様に、管理パッケージ２３の制御部２３１は、被管理パッケージを介して接続されている管理パッケージ２２の制御部２２１と通信を行い、管理パッケージ２２のＮＳＡＰアドレスを取得して保持する。管理パッケージ２２の制御部２２１には、管理パッケージ２２のＮＳＡＰアドレスが予め設定される。管理パッケージ２２、２３の制御部２２１、２３１は、Ｒｏｕｔｉｎｇ  Ｉｎｆｏｒｍａｔｉｏｎ取得コマンドが入力されると、保持するＮＳＡＰアドレスを制御端末２１に出力する。
【００５６】
被管理パッケージ２４、２５は、入力された信号を光信号として出力し、入力された光信号を電気信号として出力する。
【００５７】
なお、上述した以外の構成や機能は、第１の実施の形態における伝送装置と同じであるので、同一の符号を付して説明を省略する。
【００５８】
［動作の説明］
図８は、本発明の第２の実施の形態における伝送装置の動作を説明する為の図である。図８を用いて、本実施形態における伝送装置の動作を説明する。
【００５９】
（前提となる動作）
まず、本実施形態の伝送装置は、管理パッケージ２２、２３が冗長構成をとり、上述の（Ａ）〜（Ｃ）の動作を実施しているものとする。
【００６０】
（第１の実施形態の伝送装置の動作）
次に、本実施形態における伝送装置は、第１の実施形態の伝送装置と同様、制御端末２１からモード変更コマンドが入力され、その後、管理情報や装置情報が入力されると、その管理情報や装置情報を基に各管理パッケージが独立に被管理パッケージを制御する。ここでは、管理パッケージ２２が被管理パッケージ２４を制御し、管理パッケージ２３が被管理パッケージ２５を制御したものとする。本実施形態における伝送装置は、１装置内に２装置分の構成を具備する状態である。
【００６１】
（本実施形態の伝送装置の動作）
（Ｓ２０）
次に、上述の状態となった後、管理パッケージ２２の制御部２２１は、被管理パッケージ２４、２５を介して接続されている管理パッケージ２３の制御部２３１と通信を行い、図８に示されるように、管理パッケージ２３のＮＳＡＰアドレスを取得して保持する。
【００６２】
（Ｓ２０の一具体例）
例えば、管理パッケージ２２の制御部２２１は、以下のように、管理パッケージ２３のＮＳＡＰアドレスを取得してもよい。
【００６３】
・管理パッケージ２２の制御部２２１は、上述の状態となった後、所定のタイミングになると、ＮＳＡＰアドレスの取得を要求する信号（以下、「アドレス要求信号」という）を被管理パッケージ２４に出力する。次に、被管理パッケージ２４は、入力されたアドレス要求信号を光信号として被管理パッケージ２５に出力する。被管理パッケージ２５は、入力された光信号からアドレス取得信号を抽出し、管理パッケージ２３の制御部２３１に出力する。管理パッケージ２３の制御部２３１は、アドレス取得信号が入力されると、自身が保持するＮＳＡＰアドレスを被管理パッケージ２５に出力する。被管理パッケージ２５に出力されたＮＳＡＰアドレスは、アドレス要求信号とは逆に、被管理パッケージ２５、及び被管理パッケージ２４を介して、管理パッケージ２２の制御部２２１に通知される。管理パッケージ２２の制御部２２１は、通知された管理パッケージ２３のＮＳＡＰアドレスを取得し、保持する。
【００６４】
（Ｓ２１）
上述のＳ２０の後、制御端末２１は、オペレータにより所定の操作、すなわち通信確認操作が行われると、Ｒｏｕｔｉｎｇ  Ｉｎｆｏｒｍａｔｉｏｎ取得コマンドを管理パッケージ２２の制御部２２１に出力する。
【００６５】
（Ｓ２２）
次に、管理パッケージ２２の制御部２２１は、Ｒｏｕｔｉｎｇ  Ｉｎｆｏｒｍａｔｉｏｎ取得コマンドが入力されると、保持するＮＳＡＰアドレスを制御端末２１に出力する。
【００６６】
（Ｓ２３）
次に、制御端末２１は、入力されたＮＳＡＰアドレスを自身に備わる画面に表示する。
【００６７】
（Ｓ２３の後のオペレータの確認）
制御端末２１のオペレータは、制御端末２１の画面に表示されたＮＳＡＰアドレスを確認し、管理パッケージ２３のＮＡＳアドレスであれば、管理パッケージ２２と２３間の通信は正常と確認できる。
【００６８】
（本実施形態の構成の変形例と動作）
図９は、本発明の第２の実施の形態における伝送装置の構成の変形例を示す図である。本実施形態の伝送装置は、第１の実施形態と同様、被管理パッケージを複数備え、管理パッケージは複数の被管理パッケージのうち所定の被管理パッケージを独立に制御してもよい。具体的には、図９に示されるように、本実施形態の伝送装置に備わる管理パッケージ２２は被管理パッケージ２４、２６を制御し、管理パッケージ２３は被管理パッケージ２５、２７を制御してもよい。このとき、管理パッケージ２２は、上述のＳ２０において管理パッケージ２３のＮＳＡＰアドレスを取得する際、被管理パッケージ２４、２５を経由して取得してもよいし、被管理パッケージ２６、２７を経由して取得してもよい。
【００６９】
その他の動作については、第１の実施の形態の動作と同様である為、詳細の説明を省略する。
【００７０】
［効果の説明］
本実施形態の伝送装置は、第１の実施形態の伝送装置と同じ効果を奏する。さらに、本実施形態の伝送装置は、１台の装置で、動作する管理パッケージ間の通信の正常性を確認することができる。その理由として、本実施形態の伝送装置は、動作する管理パッケージを装置内に２つ備え、各管理パッケージは、対向する管理パッケージと実際に通信を行い、対向する管理パッケージが保持する識別子（ＮＳＡＰアドレス）を取得して制御端末に出力するからである。
【００７１】
［第３の実施の形態］
次に、本発明の第３の実施の形態について説明する。本実施形態の伝送装置は、第１の実施の形態の通信システムの変形例であり、第１の実施の形態の通信システムと同じ効果を有する。本実施形態の伝送装置は、エラーのない信号を選択する伝送装置に接続される。
【００７２】
［構成の説明］
（１）本実施形態における伝送装置の構成
図１０は、本発明の第３の実施の形態における伝送装置の構成例を示す図である。
【００７３】
本実施形態における伝送装置は、図１０に示されるように、管理パッケージ１２、１３の代わりに、管理パッケージ３０、３５を備える。また、本実施形態における伝送装置は、被管理パッケージ１４、１５の代わりに、被管理パッケージ３１、３６を備える。被管理パッケージ３１、３６は、光ケーブルを介して伝送装置５１、５２と接続される。
【００７４】
（２）本実施形態における伝送装置に接続される装置の機能
伝送装置５１は、被管理パッケージ３１、３６の両方に対し、同じ光信号を出力する装置である。
【００７５】
伝送装置５２は、被管理パッケージ３１、３６から入力された光信号のうち、エラーのない光信号を選択して他装置に伝送する装置である。具体的には、伝送装置５２は、被管理パッケージ３１、３６から光信号が入力されると、所定値以上で、最も大きい信号パワーの光信号を、エラーのない光信号とみなし出力する。伝送装置５２は、所定値以上の信号パワーの光信号が入力されない場合には、何も出力しない。なお、伝送装置５２は、光信号が入力されると、その信号に多重されているＳＯＨ（Ｓｅｃｔｉｏｎ  Ｏｖｅｒｈｅａｄ）にエラーを示す識別子が含まれているかを判別し、エラーを示す識別子が含まれていない方の光信号を、エラーのない光信号とみなし出力してもよい。上述のエラーを示す識別子は、以下、「エラー識別子」という。
【００７６】
（３）本実施形態の伝送装置に備わる各部位の機能の説明
被管理パッケージ３１は、入力された光信号が所定値以上の信号パワーかを判別し、所定値以上の信号パワーならば、入力された光信号を出力する。被管理パッケージ３１は、入力された光信号が所定値より小さい信号パワーならば、入力された光信号に多重されているＳＯＨにエラーを示す識別子を書き込み、書き込んだ後の光信号を出力する。また、被管理パッケージ３１は、入力された光信号が所定値より小さい信号パワーならば、信号喪失を示す信号（以下、「信号喪失信号」という）を出力する。
【００７７】
被管理パッケージ３６は、光信号が入力されると、入力された光信号に多重されているＳＯＨにエラーを示す識別子を書き込み、書き込んだ後の光信号を出力する。但し、被管理パッケージ３６は、信号喪失信号が入力されると、入力された光信号をそのまま出力する。
【００７８】
なお、上述した以外の構成や機能は、第１の実施の形態における伝送装置と同じであるので、同一の符号を付して説明を省略する。
【００７９】
[動作の説明]
（前提となる動作）
まず、本実施形態の伝送装置における管理パッケージ３０、３５が冗長構成をとり、運用系の管理パッケージが被管理パッケージ３１を制御しているものとする。
【００８０】
（第１の実施形態の伝送装置の動作）
次に、本実施形態の伝送装置の管理パッケージ３０、３５は、制御端末２１からモード変更コマンドが入力され、その後、管理情報や装置情報が入力されると、その管理情報や装置情報を基に各管理パッケージが独立に被管理パッケージ３１、３６を制御する。ここでは、管理パッケージ３０が被管理パッケージ３１を制御し、管理パッケージ３５が被管理パッケージ３６を制御し、被管理パッケージ３１、３６それぞれが、伝送装置５１から入力された光信号を伝送装置５２に出力する状態となったものとする。
【００８１】
（本実施形態の伝送装置の動作）
上述の状態のときに、伝送装置５１が、被管理パッケージ３１、３６の両方に対し、同じ光信号を出力する。
【００８２】
被管理パッケージ３１、３６は、伝送装置５１から入力された同じ光信号をそれぞれ伝送装置５２に伝送する。同じ光信号を同じ伝送装置に伝送するので、本実施形態の伝送装置は、２重化された光伝送路として動作している。
【００８３】
次に、伝送装置５２は、被管理パッケージ３１、３６から入力された光信号のうち、エラーのない光信号を選択して他装置に伝送する。
【００８４】
具体的には、伝送装置５２は、被管理パッケージ３１、３６から光信号が入力されると、所定値以上で、最も大きい信号パワーの光信号を、エラーのない光信号とみなして他装置に出力する。伝送装置５２は、所定値以上の信号パワーの光信号が入力されない場合には、何も出力しない。
【００８５】
（１）その他の動作例
本実施形態の伝送装置は、出力する光信号の１つをエラーのある信号とし、伝送装置５２がエラーのない信号を選択してもよい。具体的には以下の通りである。
【００８６】
（被管理パッケージ３１の動作）
（Ｉ）まず、図１０に示される被管理パッケージ３１は、光信号が伝送装置５１から入力されると、入力された光信号が所定値以上の信号パワーかを判別する。所定値は、本実施形態の伝送装置のユーザによって被管理パッケージ３１に設定される。
【００８７】
（ＩＩ）被管理パッケージ３１は、入力された光信号が所定値以上の信号パワーであれば、正常な光信号として、入力された光信号をそのまま伝送装置５２に出力する。
【００８８】
（ＩＩＩ）被管理パッケージ３１は、入力された光信号が所定値以上の信号パワーでなければ、入力された光信号に多重されているＳＯＨにエラー識別子を書き込み、書き込んだ後の光信号を伝送装置５２に出力する。
【００８９】
（ＩＶ）また、被管理パッケージ３１は、入力された光信号が所定値以上の信号パワーでなければ、信号喪失を示す信号、すなわち信号喪失信号を管理パッケージ３０に出力する。
【００９０】
（管理パッケージ３０、３５の動作）
（Ｖ）管理パッケージ３０は、信号喪失信号が被管理パッケージ３１から入力されると、その信号を管理パッケージ３５に出力する。
【００９１】
（ＶＩ）管理パッケージ３５は、信号喪失信号が入力されると、その信号を被管理パッケージ３６に出力する。
【００９２】
（被管理パッケージ３６の動作）
（ＶＩＩ）被管理パッケージ３６は、光信号が伝送装置５１から入力されると、入力された光信号に多重されているＳＯＨにエラー識別子を書き込んで、書き込んだ光信号を伝送装置５２に出力している。
【００９３】
（ＶＩＩＩ）被管理パッケージ３６は、信号喪失信号が管理パッケージ３５から入力されると、エラー識別子を書き込む動作を止め、入力された光信号をそのまま伝送装置５２に出力する。
【００９４】
（ＩＸ）伝送装置５２は、被管理パッケージ３１、３６から入力される光信号のうち、エラー識別子がＳＯＨに含まれていない光信号を、エラーのない光信号として選択し、自身に接続されている他装置に伝送する。
【００９５】
（２）その他の構成例と動作
図１１は、本発明の第３の実施の形態における伝送装置の構成の変形例を示す図である。本実施形態の伝送装置は、（ＩＸ）に示した伝送装置５２の機能を備えていてもよい。具体的には、本実施形態の伝送装置は、図１１に示されるように、エラー識別子がＳＯＨに含まれていない光信号を、エラーのない光信号として選択し、伝送装置５２に出力する選択部を備えてもよい。選択部は、被管理パッケージ３１、３６、および伝送装置５２と接続される。本実施形態の伝送装置は、伝送装置５２に出力する機能部が選択部の１つであり、伝送装置５２と接続する光ケーブルを１本にすることができる。
【００９６】
［効果の説明］
本実施形態の伝送装置は、第１の実施形態の伝送装置と同じ効果を奏する。すなわち、本実施形態の伝送装置は、管理パッケージの機能を十分に活用することができる。各管理パッケージが、第１の実施形態の伝送装置と同様、独立に所定の被管理パッケージを制御するからである。
【００９７】
［第４の実施の形態］
次に、本発明の第４の実施の形態について説明する。
【００９８】
［構成の説明］
図１２は、本発明の第４の実施の形態における伝送装置の構成例を示す図である。
【００９９】
第４の実施の形態における伝送装置は、図１２に示されるように、複数の第１の機能部２０００、２１００と、第１の機能部２０００、２１００を制御する冗長構成の第２の機能部１０００、１１００を備える。
【０１００】
本実施形態の伝送装置は、第１の所定の信号が入力されると、第２の機能部１０００、１１００各々が独立に、入力される所定の情報を基に所定の第１の機能部を制御する。
【０１０１】
なお、本実施形態の伝送装置に備わる第２の機能部は、冗長構成をなすのであれば、２つとは限らない。また、第１の機能部も同様に２つとは限らない。第１、第２の機能部は、３つ以上、本実施形態の伝送装置に備わっていてもよい。但し、第１の機能部の数は、第２の機能部の数以上であるものとする。
【０１０２】
[動作の説明]
本実施形態の伝送装置において、冗長構成の第２の機能部１０００、１１００のうち、例えば第２の機能部１０００が、運用系として複数の第１の機能部２０００、２１００を制御しているとする。第２の機能部１１００は、待機系として待機している。
【０１０３】
このとき、本実施形態の伝送装置は、第１の所定の信号が入力されると、第２の機能部１０００、１１００各々が独立に、入力される所定の情報を基に所定の第１の機能部２０００、２１００を制御する。
【０１０４】
例えば、所定の信号が入力されると、第２の機能部１０００は、その後、入力された所定の情報を基に第１の機能部２０００を制御し、第２の機能部１１００は、別途、入力された所定の情報を基に第１の機能部２１００を制御してもよい。
【０１０５】
［効果の説明］
本実施形態によれば、伝送装置は、装置に備わる冗長構成の第２の機能部を十分に活用することができる。
【０１０６】
その理由は、本実施形態の伝送装置が、所定の信号が入力されると、待機系の第２の機能部も含め、各第２の機能部が独立に、入力される所定の情報を基に所定の第１の機能部を制御する動作を行うからである。
【０１０７】
なお、上述した実施の形態は、その形態に限定されるものではなく、実施段階ではその要旨を逸脱しない範囲で種々変更可能である。
【０１０８】
さらに、上記の各実施形態の一部又は全部は、以下の付記のようにも記載されうるが、以下には限られない。
（付記１）
複数の第１の機能部と、前記第１の機能部を制御する冗長構成の第２の機能部と、を備えた伝送装置であって、
前記第１の機能部の数は、前記第２の機能部の数以上であり、
第１の所定の信号が入力されると、前記第２の機能部各々が独立に、入力される所定の情報を基に所定の前記第１の機能部を制御する、
ことを特徴とする伝送装置。
（付記２）
前記第２の機能部は、所定のタイミングになると、前記第１の機能部を介して接続されている他の前記第２の機能部と通信を行い、他の前記第２の機能部が保持する識別子を取得して出力する、
ことを特徴とする付記１に記載の伝送装置。
（付記３）
前記第２の機能部は、所定のコマンドが入力されると、前記識別子を出力する、
ことを特徴とする付記２に記載の伝送装置。
（付記４）
一方の前記第２の機能部は、信号パワーが所定値以下である光信号が入力されると、エラーを示す識別子を含めて前記光信号を出力すると共に、第２の所定の信号を出力し、
他方の前記第２の機能部は、前記第２の所定の信号が入力されると、入力された前記光信号をそのまま出力する、
ことを特徴とする付記１乃至３のいずれか１項に記載の伝送装置。
（付記５）
前記エラーを示す識別子を含まない前記光信号を他装置に伝送する装置が接続されている、
ことを特徴とする付記４に記載の伝送装置。
（付記６）
前記エラーを示す識別子を含まない前記光信号を選択し、出力する選択部を備える、
ことを特徴とする付記４乃至５のいずれか１項に記載の伝送装置。
（付記７）
冗長構成の第２の機能部のいずれかが、数が前記第２の機能部の数以上である第１の機能部を制御しているときに、第１の所定の信号が入力されると、前記第２の機能部各々が独立に、入力される所定の情報を基に所定の前記第１の機能部を制御する、
ことを特徴とする伝送装置の制御方法。
（付記８）
前記第２の機能部は、所定のタイミングになると、前記第１の機能部を介して接続されている他の前記第２の機能部と通信を行い、他の前記第２の機能部が保持する識別子を取得して出力する、
ことを特徴とする付記７に記載の伝送装置の制御方法。
（付記９）
前記第２の機能部は、所定のコマンドが入力されると、前記識別子を出力する、
ことを特徴とする付記８に記載の伝送装置の制御方法。
（付記１０）
一方の前記第２の機能部は、信号パワーが所定値以下である光信号が入力されると、エラーを示す識別子を含めて前記光信号を出力すると共に、第２の所定の信号を出力し、
他方の前記第２の機能部は、前記第２の所定の信号が入力されると、入力された前記光信号をそのまま出力する、
ことを特徴とする付記７乃至９のいずれか１項に記載の伝送装置の制御方法。
（付記１１）
前記エラーを示す識別子を含まない前記光信号を選択し、出力する、
ことを特徴とする付記１０に記載の伝送装置の制御方法。
【符号の説明】
【０１０９】
１    制御端末
２    管理パッケージ
３    管理パッケージ
４    管理パッケージ
５    制御部
７    被管理パッケージ
９    被管理パッケージ
１１    制御端末
１２    管理パッケージ
１３    管理パッケージ
１４    被管理パッケージ
１５    被管理パッケージ
１２１    制御部
１２２    運用メモリ
１３１    制御部
１３２    運用メモリ
２１    制御端末
２２    管理パッケージ
２３    管理パッケージ
２４    被管理パッケージ
２５    被管理パッケージ
２６    被管理パッケージ
２２１    制御部
２３１    制御部
３０    管理パッケージ
３１    被管理パッケージ
３５    管理パッケージ
３６    被管理パッケージ
５１    伝送装置
５２    伝送装置
１０００    第２の機能部
１１００    第２の機能部
２０００    第１の機能部
２１００    第１の機能部
【図１】
2015065570.tif 000003
【図２】
2015065570.tif 000004
【図３】
2015065570.tif 000005
【図４】
2015065570.tif 000006
【図５】
2015065570.tif 000007
【図６】
2015065570.tif 000008
【図７】
2015065570.tif 000009
【図８】
2015065570.tif 000010
【図９】
2015065570.tif 000011
【図１０】
2015065570.tif 000012
【図１１】
2015065570.tif 000013
【図１２】
2015065570.tif 000014